(57)【要約】【課題】主要被写体の情報を撮像時に記録する撮像装置を提供すること。【解決手段】本発明に係る防犯システムは、監視対象領域に異常事由が発生したことを検知する異常検知部と、監視対象に発生した異常事由を通知する通知先を予め複数格納している通知先格納部と、異常検知部が監視対象領域に異常事由が発生したことを検知した場合に、監視対象領域の明るさを判断する明るさ判断部と、明るさ判断部が判断した明るさに応じた通知先を通知先格納部が格納している複数の通知先から選択して、選択した通知先に異常事由が発生したことを通知する異常通知部とを備える。【選択図】図２
2007233651.tif 000002
【特許請求の範囲】
【請求項１】
監視対象領域を監視して異常事由の発生を通知する防犯システムであって、
監視対象領域に異常事由が発生したことを検知する異常検知部と、
前記異常検知部が監視対象領域に異常事由が発生したことを検知した場合に、監視対象領域の明るさを判断する明るさ判断部と、
前記明るさ判断部が判断した明るさに応じて異なる通知先に異常事由が発生したことを通知する異常通知部と
を備える防犯システム。
【請求項２】
監視対象に発生した異常事由を通知する通知先を予め複数格納している通知先格納部
をさらに備え、
前記異常通知部は、前記明るさ判断部が判断した明るさに応じた通知先を前記通知先格納部が格納している複数の通知先から選択して、選択した通知先に異常事由が発生したことを通知する
請求項１に記載の防犯システム。
【請求項３】
前記異常通知部は、
前記明るさ判断部が判断した明るさが予め定められた基準の明るさより明るい場合に、監視対象領域の近傍の通知先に、異常事由が発生したことを通知する近距離通知部と、
前記明るさ判断部が判断した明るさが予め定められた基準の明るさより暗い場合に、前記近距離通知部の通知先より遠い通知先に、異常事由が発生したことを通知する遠距離通知部と
を有する請求項１に記載の防犯システム。
【請求項４】
前記明るさ判断部は、監視対象領域の明るさが、監視対象領域の照明が点灯している場合の監視対象領域の明るさである基準の明るさより明るいか否かを判断し、
前記近距離通知部は、前記明るさ判断部が基準の明るさより明るいと判断した場合に、監視対象領域の近傍の通知先に、異常事由が発生したことを通知し、
前記遠距離通知部は、前記明るさ判断部が基準の明るさより暗いと判断した場合に、前記近距離通知部の通知先より遠い通知先に、異常事由が発生したことを通知する
請求項３に記載の防犯システム。
【請求項５】
前記近距離通知部は、監視対象領域に存在する人物に、異常事由が発生したことを通知し、
前記遠距離通知部は、当該防犯システムの監視センターに通知する
請求項３に記載の防犯システム。
【請求項６】
監視対象領域を撮像する撮像部
をさらに備え、
前記明るさ判断部は、前記撮像部が撮像した撮像画像全体の明るさを算出して、算出した撮像画像全体の明るさに基づいて監視対象領域の明るさを判断する
請求項１に記載の防犯システム。
【請求項７】
監視対象領域を撮像する撮像部
をさらに備え、
前記異常検知部は、前記撮像部が撮像した撮像画像に基づいて異常事由が発生したことを検知し、
前記異常通知部は、前記明るさ判断部が判断した明るさに応じて異なる通知先に、前記撮像部が撮像した撮像画像を送信することにより、異常事由が発生したことを通知する
請求項１に記載の防犯システム。
【請求項８】
前記異常検知部は、前記撮像部が撮像した撮像画像に含まれる人物を画像認識し、前記撮像部が撮像した撮像画像内に新たな人物が現れた場合に、監視対象領域に異常事由が発生したことを検知する
請求項７に記載の防犯システム。
【請求項９】
監視対象領域を監視して異常事由の発生を通知する防犯方法であって、
監視対象領域に異常事由が発生したことを検知する異常検知段階と、
前記異常検知段階において監視対象領域に異常事由が発生したことを検知された場合に、監視対象領域の明るさを判断する明るさ判断段階と、
前記明るさ判断段階において判断された明るさに応じて異なる通知先に異常事由が発生したことを通知する異常通知段階と
を備える防犯方法。
【請求項１０】
監視対象領域を監視して異常事由の発生を通知する防犯システム用のプログラムであって、当該防犯システムを、
監視対象領域に異常事由が発生したことを検知する異常検知部、
前記異常検知部において監視対象領域に異常事由が発生したことを検知された場合に、監視対象領域の明るさを判断する明るさ判断部、
前記明るさ判断部において判断された明るさに応じて異なる通知先に異常事由が発生したことを通知する異常通知部
として機能させるプログラム。
【発明の詳細な説明】
【技術分野】
【０００１】
本発明は、防犯システム、防犯方法、及びプログラムに関する。特に本発明は、監視対象領域を監視して異常事由の発生を通知する防犯システム及び防犯方法、並びに、防犯システム用のプログラムに関する。
【０００２】
撮影対象の平常時の状態を基準画像として記憶しておき、撮影画像と基準画像を対応する画素毎に比較し、比較処理の結果、撮影画像に変化が生じていることが確認されたら、画像圧縮処理における圧縮比率を相対的に低く設定して記録媒体に記録し、撮影画像に変化が生じていないことが確認されたら、画像圧縮処理における圧縮比率を相対的に高く設定して記録媒体に記録する防犯システムが知られている（例えば、特許文献１参照。）。また、記録された撮影画像に不審人物が写っている場合に、警備会社等に通報するシステムが知られている。
【特許文献１】特開２００２−３３５４９２号公報
【発明の開示】
【発明が解決しようとする課題】
【０００３】
しかし、例えば商店に設置された防犯カメラにより不審人物等が確認され、警備会社等に通報された場合に、警備会社の警備員が現場に到着するまでの間に不審人物に逃げられてしまう場合がある。このような場合、商店が営業中であれば、不審人物に即応することができる店長等に、不審人物がいる旨が連絡されることが望ましい。一方で、夜間等、商店が営業中でなく店長が不在であるような場合には、警備会社等に通報し、迅速に不審人物の確認等がなされることが望ましい。また、現場の近くで不審人物に対応できる人物がいるか否かを、より低コストで判断することができる防犯システムであることが望ましい。
【０００４】
そこで本発明は、上記の課題を解決することができる防犯システム、防犯方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の第１の形態によると、監視対象領域を監視して異常事由の発生を通知する防犯システムであって、監視対象領域に異常事由が発生したことを検知する異常検知部と、異常検知部が監視対象領域に異常事由が発生したことを検知した場合に、監視対象領域の明るさを判断する明るさ判断部と、明るさ判断部が判断した明るさに応じて異なる通知先に異常事由が発生したことを通知する異常通知部とを備える。
【０００６】
監視対象に発生した異常事由を通知する通知先を予め複数格納している通知先格納部をさらに備え、異常通知部は、明るさ判断部が判断した明るさに応じた通知先を通知先格納部が格納している複数の通知先から選択して、選択した通知先に異常事由が発生したことを通知してよい。
【０００７】
異常通知部は、明るさ判断部が判断した明るさが予め定められた基準の明るさより明るい場合に、監視対象領域の近傍の通知先に、異常事由が発生したことを通知する近距離通知部と、明るさ判断部が判断した明るさが予め定められた基準の明るさより暗い場合に、近距離通知部の通知先より遠い通知先に、異常事由が発生したことを通知する遠距離通知部とを有してよい。
【０００８】
明るさ判断部は、監視対象領域の明るさが、監視対象領域の照明が点灯している場合の監視対象領域の明るさである基準の明るさより明るいか否かを判断し、近距離通知部は、明るさ判断部が基準の明るさより明るいと判断した場合に、監視対象領域の近傍の通知先に、異常事由が発生したことを通知し、遠距離通知部は、明るさ判断部が基準の明るさより暗いと判断した場合に、近距離通知部の通知先より遠い通知先に、異常事由が発生したことを通知してよい。
【０００９】
近距離通知部は、監視対象領域に存在する人物に、異常事由が発生したことを通知し、遠距離通知部は、当該防犯システムの監視センターに通知してよい。
【００１０】
監視対象領域を撮像する撮像部をさらに備え、明るさ判断部は、撮像部が撮像した撮像画像全体の明るさを算出して、算出した撮像画像全体の明るさに基づいて監視対象領域の明るさを判断してよい。
【００１１】
監視対象領域を撮像する撮像部をさらに備え、異常検知部は、撮像部が撮像した撮像画像に基づいて異常事由が発生したことを検知し、異常通知部は、明るさ判断部が判断した明るさに応じて異なる通知先に、撮像部が撮像した撮像画像を送信することにより、異常事由が発生したことを通知しよい。
【００１２】
異常検知部は、撮像部が撮像した撮像画像に含まれる人物を画像認識し、撮像部が撮像した撮像画像内に新たな人物が現れた場合に、監視対象領域に異常事由が発生したことを検知してよい。
【００１３】
本発明の第２の形態によると、監視対象領域を監視して異常事由の発生を通知する防犯方法であって、監視対象領域に異常事由が発生したことを検知する異常検知段階と、異常検知段階において監視対象領域に異常事由が発生したことを検知された場合に、監視対象領域の明るさを判断する明るさ判断段階と、明るさ判断段階において判断された明るさに応じて異なる通知先に異常事由が発生したことを通知する異常通知段階とを備える。
【００１４】
本発明の第３の形態によると、監視対象領域を監視して異常事由の発生を通知する防犯システム用のプログラムであって、当該防犯システムを、監視対象領域に異常事由が発生したことを検知する異常検知部、異常検知段階において監視対象領域に異常事由が発生したことを検知された場合に、監視対象領域の明るさを判断する明るさ判断部、明るさ判断段階において判断された明るさに応じて異なる通知先に異常事由が発生したことを通知する異常通知部として機能させる。
【００１５】
なお上記の発明の概要は、本発明の必要な特徴の全てを列挙したものではなく、これらの特徴群のサブコンビネーションもまた発明となりうる。
【発明の効果】
【００１６】
本発明によれば、異常事由の発生を監視対象領域の明るさに応じた適切な通報先に通報する防犯システムを提供することができる。
【発明を実施するための最良の形態】
【００１７】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１８】
図１は、本発明の一実施形態に係る防犯システム１００の利用環境の一例を示す。防犯システム１００は、監視装置１１０、監視センター１２０、及び通信回線１８０を備える。本実施形態における防犯システム１００は、監視対象領域１７０を監視して、異常事由の発生を、監視対象領域１７０の明るさに応じた適切な通報先に通知する。
【００１９】
監視装置１１０は、監視対象領域１７０を撮像しており、撮像画像に写った人物を抽出する。そして、監視装置１１０は、監視対象領域１７０への出入りが許可された人物以外の人物が撮像画像から抽出された場合に、異常を検知する。このとき、監視装置１１０は、撮像画像の明るさに基づいて、異常検知時に照明が動作しているか否かを判断する。そして監視装置１１０は、異常検知時において照明が点灯されていると判断すると、監視対象領域１７０の近くに設置された警報装置１４０を動作させて、監視対象領域１７０の近くにいる管理者１９０等に異常の発生を通知する。
【００２０】
一方、監視装置１１０は、異常検知時に照明が動作していないと判断した場合に、インターネット等の通信回線１８０を介して監視センター１２０に、監視対象領域１７０の遠方の通知先に、異常の発生を通知する。また、監視装置１１０は、異常検知時に照明が動作していないと判断した場合に、監視対象領域１７０の管理者１９０が所持する携帯電話、ＰＤＡ等の携帯端末１３０に、異常の発生を通知してよい。
【００２１】
以上説明した防犯システム１００によれば、異常発生時に監視対象領域１７０の照明が動作している場合には、監視対象領域１７０の近傍の管理者１９０に通報することによって、異常に対して迅速に対処することができる。また、監視対象領域１７０の照明が動作していないときに異常が発生した場合には、異常の発生を監視センター１２０に通報するので、異常に対処できる管理者１９０が監視対象領域１７０の周囲にいなくても、異常に対して適切に対処することができる。このように、本実施形態の防犯システム１００によると、異常発生時に監視対象領域１７０の付近に管理者１９０がいるにもかかわらず、監視センター１２０に通報されて警備員が出動してしまう等の無駄をなくすことができる。
【００２２】
なお、監視装置１１０は、警報装置１４０を作動させて警報装置１４０から音、光等を発生させることによって、監視対象領域１７０の近傍の管理者１９０に異常の発生を通知してよい。また、監視装置１１０は、警報装置１４０、携帯端末１３０等に、電子メール等のメッセージを送信することによって異常の発生を通知してよい。他にも、監視装置１１０は、異常発生時に撮像された画像を、監視センター１２０、携帯端末１３０、又は警報装置１４０に送信することによって異常の発生を通知してもよい。また、監視センター１２０とは、警備会社、警察署、消防署等であってよい。また、本実施形態における撮像画像とは、静止画であってよく、動画であってもよい。
【００２３】
図２は、監視装置１１０のブロック構成の一例を示す。監視装置１１０は、撮像部２５０、異常検知部２１０、明るさ判断部２２０、異常通知部２３０、及び通知先格納部２４０を備える。異常通知部２３０は、近距離通知部２３２及び遠距離通知部２３４を備える。
【００２４】
撮像部２５０は、監視対象領域１７０を撮像する。具体的には、撮像部２５０は、被写体からの光をＣＣＤ等の撮像デバイスで受光して、被写体を撮像する。また、撮像部２５０は、また、撮像部２５０は、予め定められた時間間隔で連続的に被写体を撮像してよい。
【００２５】
異常検知部２１０は、監視対象領域１７０に異常事由が発生したことを検知する。具体的には、異常検知部２１０は、撮像部２５０が撮像した撮像画像に基づいて異常事由が発生したことを検知する。具体的には、異常検知部２１０は、撮像部２５０が撮像した撮像画像に含まれる人物を画像認識し、撮像部２５０が撮像した撮像画像内に新たな人物が現れた場合に、監視対象領域１７０に異常事由が発生したことを検知する。例えば、異常検知部２１０は、監視対象領域１７０への出入りを許可された人物、又は既に監視対象領域１７０に入ったことのある人物を記録しておき、記録された人物以外の人物が撮像画像内に現れた場合に、監視対象領域１７０に異常事由が発生したことを検知する。
【００２６】
明るさ判断部２２０は、異常検知部２１０が監視対象領域１７０に異常事由が発生したことを検知した場合に、監視対象領域１７０の明るさを判断する。具体的には、明るさ判断部２２０は、撮像部２５０が撮像した撮像画像全体の明るさを算出して、算出した撮像画像全体の明るさに基づいて監視対象領域１７０の明るさを判断してよい。本実施形態の監視装置１１０は、監視対象領域１７０を監視すべく撮像した撮像画像を用いて監視対象領域１７０の明るさを判断するので、監視対象領域１７０の明るさを測定するセンサ等を別途設ける場合に比べて低コストで監視対象領域１７０の明るさを判断することができる。
【００２７】
異常通知部２３０は、明るさ判断部２２０が判断した明るさに応じて異なる通知先に異常事由が発生したことを通知する。例えば、異常通知部２３０は、明るさ判断部２２０が判断した明るさに応じて異なる通知先に、撮像部２５０が撮像した撮像画像を送信することにより、異常事由が発生したことを通知する。
【００２８】
具体的には、通知先格納部２４０は、監視対象に発生した異常事由を通知する通知先を予め複数格納している。そして、異常通知部２３０は、明るさ判断部２２０が判断した明るさに応じた通知先を通知先格納部２４０が格納している複数の通知先から選択して、選択した通知先に異常事由が発生したことを通知する。このため、監視装置１１０は、監視対象領域１７０の明るさに応じて、適切な通知先に異常の発生を通知することができる。
【００２９】
具体的には、通知先格納部２４０は、監視対象に発生した異常事由を通知する通知先を、監視対象領域１７０から通知先までの距離に対応づけて、予め複数格納している。そして、近距離通知部２３２は、明るさ判断部２２０が判断した明るさが予め定められた基準の明るさより明るい場合に、監視対象領域１７０の近傍の通知先に、異常事由が発生したことを通知する。そして、遠距離通知部２３４は、明るさ判断部２２０が判断した明るさが予め定められた基準の明るさより暗い場合に、近距離通知部２３２の通知先より遠い通知先に、異常事由が発生したことを通知する。
【００３０】
より具体的には、近距離通知部２３２は、監視対象領域１７０に存在する人物に、異常事由が発生したことを通知する。例えば、近距離通知部２３２は、監視対象領域１７０の近傍に備えられた警報装置１４０を作動させる。また、遠距離通知部２３４は、防犯システム１００の監視センター１２０に通知する。他にも、遠距離通知部２３４は、監視対象領域１７０の管理者１９０が携帯する携帯端末１３０に通知してよい。
【００３１】
なお、明るさ判断部２２０は、監視対象領域１７０の明るさが、監視対象領域１７０の照明が点灯している場合の監視対象領域１７０の明るさである基準の明るさより明るいか否かを判断する。そして、近距離通知部２３２は、明るさ判断部２２０が基準の明るさより明るいと判断した場合に、監視対象領域１７０の近傍の通知先に、異常事由が発生したことを通知する。そして、遠距離通知部２３４は、明るさ判断部２２０が基準の明るさより暗いと判断した場合に、近距離通知部２３２の通知先より遠い通知先に、異常事由が発生したことを通知する。このため、監視装置１１０は、監視対象領域１７０の近傍の管理者１９０等がいる場合等、監視対象領域１７０の照明が動作している場合には、監視対象領域１７０の近傍の人物に異常を通知することによって、異常に対して迅速に対処することができる。また、監視装置１１０は、監視対象領域１７０の近傍の管理者１９０等が不在である場合等、監視対象領域１７０の照明が動作していない場合には、監視センター１２０に異常を通知することによって、異常に対して適切に対処することができる。
【００３２】
以上説明した防犯システム１００によれば、監視対象領域１７０の明るさに応じて、適切な通知先に異常を通知することができる。したがって、管理者１９０が異常に対処できない場合には監視センター１２０に通知することができる。また、管理者１９０が異常に対処できる場合には、管理者１９０に異常が通知されるので、警備会社との防犯契約等の防犯コストを削減することができる。
【００３３】
なお監視装置１１０が備える機能のうち、撮像部２５０の撮像機能は、明るさ判断部２２０、異常検知部２１０、異常通知部２３０、及び通知先格納部２４０の各機能を有する装置とは異なる場所に設けられた装置が有してよい。例えば、監視対象領域１７０を撮像すべく設けられた監視カメラが撮像部２５０として機能し、監視カメラとは異なる場所に設けられたコンピュータが、明るさ判断部２２０、異常検知部２１０、異常通知部２３０、及び通知先格納部２４０として機能してもよい。
【００３４】
図３は、監視装置１１０における動作フローの一例を示す。異常検知部２１０は、撮像部２５０が撮像した撮像画像から人物を抽出して、撮像画像に人物が含まれるか否かを判断する（Ｓ３１０）。具体的には、異常検知部２１０は、撮像画像から肌色の領域を抽出して、抽出した領域からエッジ抽出等によって抽出された被写体の輪郭と、予め定めた人物の顔の輪郭とのパターンマッチングにより、撮像画像に人物が含まれるか否かを判断してよい。
【００３５】
Ｓ３１０において、異常検知部２１０が撮像画像に人物が含まれると判断した場合には、再度Ｓ３１０に処理を移行させる。Ｓ３１０において、異常検知部２１０が撮像画像に人物が含まれると判断した場合には、異常検知部２１０は、撮像画像に含まれる人物が、予め登録された人物であるか否かを判断する（Ｓ３２０）。
【００３６】
なお、Ｓ３１０のいて、異常検知部２１０は、監視対象領域１７０への出入りを許可された人物の顔の特徴量を予め格納してもよい。例えば、顔画像格納部２２２は、人物の顔の輪郭形状、或いは、眼、鼻、口といった、顔における特徴的な部位の形状、それぞれの部位の顔全体における位置、又はそれぞれの部位の間の位置関係等を、顔の特徴量として予め格納しておく。そして、Ｓ３２０において、異常検知部２１０は、監視対象領域１７０への出入りを許可された人物の顔の特徴量と、撮像画像に含まれる人物の顔の特徴量とを比較して、予め定めた一致度以上の一致度で一致した場合に、予め登録された人物であると判断する。
【００３７】
Ｓ３２０において、撮像画像に含まれる人物が登録された人物である場合には、Ｓ３１０の判断に処理を移行させる。そして、Ｓ３２０において、撮像画像に含まれる人物が登録された人物でない場合には、明るさ判断部２２０は、撮像画像全体の明るさが、基準の明るさより大きいか否かを判断する（Ｓ３３０）。このとき、明るさ判断部２２０は、撮像画像における各画素の輝度の平均値を、撮像画像全体の明るさとして算出してよい。また、明るさ判断部２２０は、撮像画像における各画素の輝度の合計値を、撮像画像全体の明るさとして算出してもよい。また、明るさ判断部２２０は、撮像画像における各画素のうちの、予め定めた輝度値以上の輝度を持つ画素の輝度の合計値を、撮像画像全体の明るさとして算出してもよい。他にも、明るさ判断部２２０は、監視対象領域１７０の照度を測定する照度センサ等により、監視対象領域１７０の明るさを判断してもよい。
【００３８】
Ｓ３３０において、撮像画像全体の明るさが基準の明るさより大きい場合には、警報装置１４０を作動させて監視対象領域１７０の近くにいる管理者１９０に異常の発生を通知し（Ｓ３４０）、処理を終了する。Ｓ３３０において、撮像画像全体の明るさが基準の明るさ以下である場合には、監視センター１２０、又は予め登録された携帯端末１３０に異常の発生を通知し（Ｓ３５０）、処理を終了する。
【００３９】
以上説明した防犯システム１００によれば、監視対象領域１７０の照明が動作している場合には、監視対象領域１７０の近傍の管理者に異常を通知することによって、管理者は異常に迅速に対処することができる。一方で、監視対象領域１７０に監視対象領域１７０の管理者１９０等がおらず、監視対象領域１７０の照明が動作していない場合には、監視センター１２０に異常を通知することによって、監視センター１２０が異常に対して適切に対処することができる。
【００４０】
図４は、本実施形態に係る監視装置１１０のハードウェア構成の一例を示す。監視装置１１０は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００４１】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００４２】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、ＣＰＵ１５０５が使用するプログラム、及びデータを格納する。通信インターフェイス１５３０は、ネットワーク通信装置１５９８に接続してプログラムまたはデータを送受信する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００４３】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、監視装置１１０が起動時に実行するブート・プログラムや、監視装置１１０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００４４】
ＣＰＵ１５０５が実行するプログラムは、フレキシブルディスク１５９０、ＣＤ−ＲＯＭ１５９５、またはＩＣカード等の記録媒体に格納されて利用者によって提供される。記録媒体に格納されたプログラムは圧縮されていても非圧縮であってもよい。プログラムは、記録媒体からハードディスクドライブ１５４０にインストールされ、ＲＡＭ１５２０に読み出されてＣＰＵ１５０５により実行される。
【００４５】
ＣＰＵ１５０５により実行されるプログラムは、監視装置１１０を、図１から図３に関連して説明した撮像部２５０、異常検知部２１０、明るさ判断部２２０、異常通知部２３０、及び通知先格納部２４０として機能させる。また、ＣＰＵ１５０５により実行されるプログラムは、異常通知部２３０を、図１から図３に関連して説明した近距離通知部２３２及び遠距離通知部２３４として機能させる。
【００４６】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムを監視装置１１０に提供してもよい。
【００４７】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００４８】
【図１】防犯システム１００の利用環境の一例を示す図である。
【図２】監視装置１１０のブロック構成の一例を示す図である。
【図３】監視装置１１０における動作フローの一例を示す図である。
【図４】監視装置１１０のハードウェア構成の一例を示す図である。
【符号の説明】
【００４９】
１００  防犯システム
１１０  監視装置
１２０  監視センター
１３０  携帯端末
１４０  警報装置
１７０  監視対象領域
１８０  通信回線
１９０  ユーザ
２１０  異常検知部
２２０  明るさ判断部
２３０  異常通知部
２３２  近距離通知部
２３４  遠距離通知部
２４０  通知先格納部
２５０  撮像部
【図１】
2007233651.tif 000003
【図２】
2007233651.tif 000004
【図３】
2007233651.tif 000005
【図４】
2007233651.tif 000006